(57)【特許請求の範囲】
【請求項１】
外郭を構成する固定枠と、
前記固定枠の前面側にて開閉可能に支持された扉体と、
前記扉体に設けられ、前記固定枠に対し前記扉体を施錠する施錠装置とを備え、
前記施錠装置が、
鍵により操作される錠部材と、
少なくとも前記鍵の操作に応じた前記錠部材の動作に連動して、前記固定枠に設けられた被係合部に対し係合されて前記扉体の開放を規制する係合位置と、前記被係合部から離脱して前記扉体の開放を許容する非係合位置とに変位可能な鉤部材とを備えた遊技機において、
前記扉体が施錠された状態で前記鉤部材を囲む遮蔽部材を備え、
前記遮蔽部材は、
金属製の第１カバー部材と、
当該第１カバー部材に組付けられる樹脂製の第２カバー部材とから構成され、
前記第２カバー部材の一部に切離し又は切開き可能な蓋部を備えることにより、前記遮蔽部材に開口部を形成可能としたことを特徴とする遊技機。
【発明の詳細な説明】
【技術分野】
【０００１】
本発明は、パチンコ機等の遊技機に関するものである。
【背景技術】
【０００２】
一般にパチンコ機等の遊技機では、遊技機本体が固定枠に対し開閉可能に設けられると共に、遊技機本体を開放できないように施錠装置が設けられている。かかる施錠装置としては、鍵を用いて操作されるシリンダ錠と、固定枠に設けられた被係合部材に対し係脱可能に設けられた鉤部材とを備えたものが知られている。そして、施錠状態では鉤部材が対応する被係合部材に係合することで遊技機本体が固定枠に対し開放不能となる。他方、鍵でシリンダ錠を解錠操作することにより鉤部材が被係合部材から離脱し、遊技機本体が開放可能となる。
【０００３】
近年、遊技ホールでは、遊技機本体を不正に解錠する不正行為が行われることもある。このような不正解錠は、針金等の線材を差込み、当該線材を施錠装置の鉤部材に引っ掛けて解錠方向に動かすことにより行われる。
【０００４】
このような不正解錠操作を防止するため、近年では、例えば被係合部材及びこれに係合した鉤部材を囲む防護カバーを備えた遊技機も提案されている（例えば特許文献１参照）。このようにすれば、鍵でシリンダ錠を解錠操作しない限り、遊技機本体の開放を行うことは極めて困難となる。
【特許文献１】特開２００１−１２０８１７号公報
【発明の開示】
【発明が解決しようとする課題】
【０００５】
ところが、シリンダ錠の故障時や鍵を紛失した場合には、シリンダ錠を操作して遊技機本体を開放することができなくなる。
【０００６】
このような不具合が発生した場合、上記防護カバーが設けられていると、遊技機背面側から鉤部材と被係合部材との係合状態を解除することもできないため、遊技機本体を全く開放することができない状況に陥るおそれがある。
【０００７】
これに対し、特開２００１−１２０８１７号公報に記載された発明（図３参照）のように防護カバーが遮蔽位置と非遮蔽位置との間で回動自在に設けられていると、不正解錠に対する防御性能が低下する。
【０００８】
尚、かかる課題は、パチンコ機に限らず、施錠機構を備えた他の遊技機にも該当する問題である。
【０００９】
本発明は、上記例示した問題点などを解決するためになされたものであり、その目的は、不正解錠に対する十分な防御性能の確保と、メンテナンス性の向上との両立を図ることのできる遊技機を提供することにある。
【課題を解決するための手段】
【００１０】
上記の目的を達成するため、本発明に係る遊技機は、
外郭を構成する固定枠と、
前記固定枠の前面側にて開閉可能に支持された扉体と、
前記扉体に設けられ、前記固定枠に対し前記扉体を施錠する施錠装置とを備え、
前記施錠装置が、
鍵により操作される錠部材と、
少なくとも前記鍵の操作に応じた前記錠部材の動作に連動して、前記固定枠に設けられた被係合部に対し係合されて前記扉体の開放を規制する係合位置と、前記被係合部から離脱して前記扉体の開放を許容する非係合位置とに変位可能な鉤部材とを備えた遊技機において、
前記扉体が施錠された状態で前記鉤部材を囲む遮蔽部材を備え、
前記遮蔽部材は、
金属製の第１カバー部材と、
当該第１カバー部材に組付けられる樹脂製の第２カバー部材とから構成され、
前記第２カバー部材の一部に切離し又は切開き可能な蓋部を備えることにより、前記遮蔽部材に開口部を形成可能としたことをその要旨としている。
【発明の効果】
【００１１】
本発明の遊技機によれば、不正解錠に対する十分な防御性能の確保と、メンテナンス性の向上との両立を図ることができるという優れた効果を奏する。
【発明を実施するための最良の形態】
【００１２】
上述したように、一般にパチンコ機等の遊技機では、メンテナンス等の観点から遊技機本体（内枠）が固定枠（外枠）に対し開閉可能に設けられている。そのため、店員以外の者が無断で遊技機本体を開放できないように、遊技機には施錠装置が設けられている。かかる施錠装置としては、専用の鍵を用いて操作されるシリンダ錠と、固定枠に設けられた複数の被係合部材に対しそれぞれ係脱可能に設けられた複数の鉤部材と、鍵によるシリンダ錠の解錠操作に応じて複数の鉤部材を連動させる摺動杆とを備えたものが知られている。そして、施錠状態では各鉤部材がそれぞれ対応する被係合部材に係合することで遊技機本体が固定枠に対し開放不能となる。他方、専用の鍵でシリンダ錠を解錠操作することにより摺動杆を介して各鉤部材が被係合部材から同時に離脱し、遊技機本体が開放可能となる。
【００１３】
近年、遊技ホールでは、営業中に遊技機本体を不正に解錠し、本体裏側に設けられた制御機器を不正に操作したり交換する等して、多くの遊技媒体を獲得する不正行為が行われることもある。このような不正解錠は、通常、遊技機本体と固定枠との隙間から針金等の線材を差込み、当該線材を施錠装置の鉤部材に引っ掛けて解錠方向に動かすことにより行われる。いずれか１つの鉤部材に対して不正な解錠操作が行われると、その動作が摺動杆を介して他の鉤部材に伝達され、全鉤部材が連動して被係合部材から離脱し、遊技機本体が開放可能となる。
【００１４】
このような不正解錠操作を防止するため、近年では、例えば被係合部材及びこれに係合した鉤部材を囲む防護カバーを備えた遊技機も提案されている（例えば特許文献１参照）。このようにすれば、遊技機前面側から専用の鍵でシリンダ錠を解錠操作しない限り、遊技機本体の開放を行うことは極めて困難となる。
【００１５】
しかしながら、遊技ホールにおいては、遊技機の導入時やシリンダ錠の故障時など様々な場面において、シリンダ錠自体の交換や、遊技ホールで使用する鍵に合わせたシリンダ錠のキーコード（鍵穴形状）の変更などが行われる。一般的なシリンダ錠では、例えば所定のリセットピンを押圧した状態で新たに設定したい鍵を鍵穴に挿入し回動操作するなど、所定操作を行うことで、新たに設定したい鍵に合ったキーコードとすることができる。
【００１６】
ところが、シリンダ錠の故障時や鍵の紛失時などは勿論のこと、シリンダ錠の交換やキーコードの変更が適正に行われず、キーコードの設定ミスや設定し忘れ、シリンダ錠の不良などの問題を抱えたまま、遊技機本体を閉鎖した場合には、シリンダ錠を操作して遊技機本体を開放することができなくなる。
【００１７】
このような不具合が発生した場合、上記防護カバーが設けられていると、従来の対処方法のように遊技機背面側から鉤部材を手で動かして被係合部材との係合状態を解除することもできないため、遊技機本体を全く開放することができない状況に陥るおそれがある。
【００１８】
これに対し、特開２００１−１２０８１７号公報に記載された発明（図３参照）のように防護カバーが遮蔽位置と非遮蔽位置との間で回動自在に設けられていると、不正解錠に対する防御性能が低下する。
【００１９】
尚、かかる課題は、パチンコ機に限らず、扉体と固定枠とを施錠する施錠機構を備えた他の遊技機にも該当する問題である。
【００２０】
本発明は、上記例示した問題点などを解決するためになされたものであり、その目的は、不正解錠に対する十分な防御性能の確保と、メンテナンス性の向上との両立を図ることのできる遊技機を提供することにある。
【００２１】
以下、パチンコ遊技機（以下、単に「パチンコ機」という）の一実施形態を、図面に基づいて詳細に説明する。ここで、図１はパチンコ機１０の正面図であり、図２は斜視図であり、図３は右側面図である。また、図４は、内枠１２及び前面枠セット１４を開放した状態を示す斜視図である。但し、図４では便宜上、遊技盤３０面上に配設される釘や役物、前面枠セット１４に取付けられるガラスユニット１３７などを省略して示している。
【００２２】
図１乃至図４に示すように、パチンコ機１０は、当該パチンコ機１０の外郭を構成する固定枠としての外枠１１を備えており、この外枠１１の一側部に扉体としての内枠１２が開閉可能に支持されている。
【００２３】
ここで、外枠１１について図５を参照しつつ説明する。図５は外枠１１の全体を示す斜視図である。本実施形態における外枠１１は、上辺枠構成部１１ａ及び下辺枠構成部１１ｂが木製の板材により構成され、左辺枠構成部１１ｃ及び右辺枠構成部１１ｄがアルミニウム合金製の押出成形材により構成され、これら各枠構成部１１ａ〜１１ｄがネジ等の離脱可能な締結具により全体として矩形枠状に組み付けられている。
【００２４】
左辺枠構成部１１ｃ及び右辺枠構成部１１ｄは、原料となるアルミニウム合金を高温・高圧下のもと所定断面形状で押出形成し、この押出成形材を所定寸法に切断し、切削加工等によりネジ止め用のネジ孔など細かい箇所を加工して得られる。従って、左辺枠構成部１１ｃ及び右辺枠構成部１１ｄは、それぞれ長手方向に略一様な断面形状となっている。
【００２５】
また、左辺枠構成部１１ｃの上下端部には、それぞれ上ヒンジ８１及び下ヒンジ８２が取着されている。当該上ヒンジ８１及び下ヒンジ８２にて、内枠１２の上下部が回動可能に支持されており、これにより内枠１２が開閉可能となる。
【００２６】
また、右辺枠構成部１１ｄの内側には、後述する施錠装置６００の内鉤部材６１３，６１４に対応して、上下一対の受け金具８３が取付けられている。そして、内枠１２の閉時においては、各受け金具８３に対して内鉤部材６１３，６１４が係止されることにより、内枠１２の開放が規制される（図２２等参照）。
【００２７】
なお、本実施形態では、上記ヒンジ８１，８２や受け金具８３として、アルミニウム合金製の外枠１１本体よりも剛性の高いステンレス合金等の鋼鉄製のものが採用されている。
【００２８】
さらに、外枠１１の下辺枠構成部１１ｂには、樹脂製の幕板飾り８５が取着されている。幕板飾り８５の上面奥部には、上方に突出するリブ８８が一体形成されている。また、外枠１１の右辺枠構成部１１ｄの内側面前側には複数のリブ８９が形成されている。これらリブ８８，８９により、外枠１１と内枠１２の隙間からの線材等の進入を防止している。加えて、右辺枠構成部１１ｄには、その後端部から外枠１１内側へ向け突出した延出壁部９０が形成されている。これにより、外枠１１裏側から受け金具８３への線材等の進入を防止している。
【００２９】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００３０】
また、内枠１２の前面側には、前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００３１】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００３２】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００３３】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００３４】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００３５】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００３６】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図９参照）が設けられるとともに、当該スピーカＳＰの前側にスピーカカバー２４が取着されている。
【００３７】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００３８】
また、前面枠セット１４の右側部背面側には、後述する施錠装置６００の前鉤部材６１６，６１７，６１８に対応して、３つの受け金具９１，９２，９３が上下方向に沿って設けられている（図４参照）。そして、前面枠セット１４の閉時においては、前鉤部材６１６，６１７，６１８が受け金具９１，９２，９３に係止されることにより、前面枠セット１４の開放が規制される（図２３等参照）。
【００３９】
次に、内枠１２（樹脂ベース３８）について説明する。上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００４０】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００４１】
次に、遊技盤３０の構成について図６を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００４２】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００４３】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００４４】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００４５】
装飾図柄表示装置４２は液晶表示装置として構成されており、後述するサブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００４６】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００４７】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００４８】
内レール構成部５１の先端部分（図６の左上部）には戻り球防止部材５３が取着されている。これにより、一旦、レール５０から遊技盤３０の上部へと案内された遊技球が再度レール５０内に戻ってしまうといった事態が防止される。
【００４９】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００５０】
次に、パチンコ機１０の背面の構成を図８に基づいて説明する。パチンコ機１０にはその背面（実際には内枠１２及び遊技盤３０の背面）において、各種制御基板が上下左右に並べられるようにして、一部前後に重ねられるようにして配置されており、さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００５１】
なお、第１制御基板ユニット２０１、第２制御基板ユニット２０２及び裏パックユニット２０３は、ユニット単位で工具等を用いずとも着脱できるよう構成されており、さらに、一部に支軸部を設けて内枠１２又は遊技盤３０の裏面に対して開閉できる構成となっている。
【００５２】
まず、遊技盤３０の背面構成について説明する。上述したように遊技盤３０の中央にはルータ加工によって形成された貫通穴に対して可変表示装置ユニット３５が配設されている。この可変表示装置ユニット３５に対し、センターフレーム４７を背後から覆う樹脂製のフレームカバー２１３が後方に突出して設けられている。さらに、フレームカバー２１３の後端に、液晶表示装置たる装飾図柄表示装置４２と表示制御装置４５とが前後に重ねられた状態で着脱可能に取り付けられている。フレームカバー２１３内には、センターフレーム４７に内蔵されたＬＥＤ等を駆動するＬＥＤ制御基板などが配設されている。
【００５３】
また、遊技盤３０の裏面には、可変表示装置ユニット３５を取り囲むようにして図示しない裏枠セットが取付けられている。この裏枠セットは、遊技盤３０の裏面に張り付くようにして設けられる薄型の樹脂成形品であって、各種入賞口に入賞した遊技球を回収するための球回収機構を備えている。また、内枠１２には、裏枠セット（遊技盤３０）の下方位置において排出通路盤２１７が取付けられており、該排出通路盤２１７には排出球をパチンコ機１０外部へ排出する排出シュート２１８が形成されている。従って、一般入賞口３１等に入賞した遊技球は何れも裏枠セットの球回収機構を介して集合し、さらに排出通路盤２１７の排出シュート２１８を介してパチンコ機１０外部に排出される。なお、アウト口３６も同様に排出シュート２１８に通じており、何れの入賞口にも入賞しなかった遊技球も排出シュート２１８を介してパチンコ機１０外部に排出される。
【００５４】
また、遊技盤３０の裏面には、各種入賞口などの遊技球の通過を検出する入賞感知機構（検出スイッチ）などが設けられている。入賞感知機構にて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出が実施される。本実施形態のパチンコ機１０では、各種入賞口毎に遊技球の入賞を電気的に感知して払出が直ちに行われる。
【００５５】
第１制御基板ユニット２０１は、主制御装置２６１と、サブ制御装置２６２とを具備している。主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。
【００５６】
また、サブ制御装置２６２は、主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板についても当該サブ制御基板に対応する基板ボックスに収容されて構成されている。
【００５７】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【００５８】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【００５９】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００６０】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【００６１】
次に、裏パックユニット２０３の構成を説明する。裏パックユニット２０３は、樹脂成形された裏パック３５１と遊技球の払出機構部３５２とを一体化したものである。
【００６２】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖され且つ下面のみが開放された形状をなし、少なくとも可変表示装置ユニット３５を囲むのに十分な大きさを有する。但し、本実施形態では、前述のサブ制御装置２６２及び主制御装置２６１の一部も合わせて囲む構成となっている。
【００６３】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【００６４】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００６５】
次に、パチンコ機１０の電気的構成について説明する。図９は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【００６６】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【００６７】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【００６８】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しないスイッチ等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【００６９】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【００７０】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【００７１】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【００７２】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００７３】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【００７４】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【００７５】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【００７６】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【００７７】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、ＣＰＵ５２１、プログラムＲＯＭ５２２、ワークＲＡＭ５２３、画像コントローラ５２６が接続されている。また、画像コントローラ５２６にはバスライン５３１を介して出力ポート５２９が接続されており、その出力ポート５２９には液晶表示装置たる装飾図柄表示装置４２が接続されている。
【００７８】
表示制御装置４５のＣＰＵ５２１は、サブ制御装置２６２から送信される表示コマンドに基づいて装飾図柄表示装置４２の表示を制御する。プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【００７９】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを所定のタイミングで読み出して装飾図柄表示装置４２に表示させるものである。
【００８０】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００８１】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【００８２】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００８３】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【００８４】
次に、内枠１２の施錠機構及び前面枠セット１４の施錠機構について説明する。本実施形態では、内枠１２は外枠１１に対し施錠され、前面枠セット１４は内枠１２に対し施錠される。これら両施錠機構は単一の施錠装置６００（図３等参照）によって具現化されている。後述するように施錠装置６００は、前面枠セット１４の前面側に露出するシリンダ錠７００（図１等参照）を備えており、該シリンダ錠７００の鍵穴７０２に鍵Ｋを挿入し、一方に回動操作することで内枠１２を解錠でき、他方に回動操作することで前面枠セット１４を解錠できるようになっている。
【００８５】
施錠装置６００について図１０乃至図１７を参照して詳しく説明する。ここで、図１０は、施錠装置６００を背面左側から見た斜視図であり、図１１は、施錠装置６００を正面左側から見た斜視図である。但し、図１０，１１では、便宜上、施錠装置６００に関連する外枠１１、内枠１２及び前面枠セット１４の関連部分も併せて模式的に図示している。また、図１２は、施錠装置６００の背面図であり、図１３は右側面図、図１４は左側面図、図１５は正面図である。但し、図１２〜１５では便宜上、後述するカムカバー７４０を省略している。図１６は、背面側から見た施錠装置６００の分解図であり、図１７は、側面側から見た施錠装置６００の分解図である。
【００８６】
施錠装置６００は、内枠１２の背面側左側辺部に沿って取付けられている（図７参照）。施錠装置６００の外郭を構成する縦長の基枠６０１は、内枠１２の背面部に固定される取付部としての取付板６０２と、当該取付板６０２の内枠１２内方側（窓孔３９側）の端縁から後方に突出した支持部としての支持板６０３とを備えており、これらが一体となって横断面略Ｌ字状をなしている。
【００８７】
但し、取付板６０２の内枠１２外方側縁部には、後方へ突出したフランジ部６０２ａが略全長にわたって設けられ、支持板６０３の後縁部には、内枠１２外方側へ突出したフランジ部６０３ａが複数箇所に設けられている。これらフランジ部６０２ａ，６０３ａは、後述する摺動杆６１０や各種鉤部材等の摺動動作の安定性を高めるガイド部としての機能を備えるとともに、基枠６０１内側への線材等の侵入を防ぎ、摺動杆６１０や各種鉤部材等に対する不正な解錠操作を防ぐ機能などを備えている。
【００８８】
取付板６０２には、内枠１２への取付固定用に複数の取付孔６０４が穿設されるとともに、後述する前鉤部材６１６，６１７，６１８の挿通用に上下方向３箇所に略矩形状の鉤挿通孔６０５，６０６，６０７が形成されている。
【００８９】
一方、内枠１２のうち、鉤挿通孔６０５，６０６，６０７に対応する部位には、連通孔９７，９８，９９が形成されている（図６参照）。そして、これら連通孔９７，９８，９９を介して、前鉤部材６１６，６１７，６１８が内枠１２前面側に突出している。
【００９０】
さて、基枠６０１の内側には、摺動部材としての長尺状の摺動杆６１０、内枠１２施錠用の上下一対の内鉤部材６１３，６１４、前面枠セット１４施錠用の３つの前鉤部材６１６，６１７，６１８などが配設されている。なお、施錠装置６００を構成する基枠６０１、摺動杆６１０、内鉤部材６１３，６１４、前鉤部材６１６，６１７，６１８などの各部材は、金属平板をプレス成形等することにより形成されている。内鉤部材６１３，６１４が本実施形態における鉤部材に相当する。
【００９１】
摺動杆６１０は、支持板６０３に沿って配設されており、上下方向に摺動可能となっている。
【００９２】
また、取付板６０２では、シリンダ錠７００の配置位置に対応する所定の上下区間が他部位より左右方向に幅広の幅広部６０２ｂとなっており、支持板６０３では、前記幅広部６０２ｂに対応する上下区間が内枠１２内方側へ膨出した膨出部６０３ｂとなっている。これは、遊技領域や各種制御基板等の設置スペースをより広く確保するために、施錠装置６００全体の横幅を極力狭くしつつ、シリンダ錠７００の配設位置においては、その設置スペースを確保するためである。また、摺動杆６１０も同様に、支持板６０３の膨出部６０３ｂに対応する部位が膨出している。但し、この摺動杆６１０の膨出部６１０ａの形成区間は、支持板６０３の膨出部６０３ｂの形成区間よりも短く設定されており、摺動杆６１０の摺動の妨げとならないようになっている。
【００９３】
ここで、まず内枠１２の施錠機構に関連する部分について詳しく説明する。内枠１２の施錠機構を構成する内鉤部材６１３，６１４は、摺動杆６１０の内枠１２外方側（図１０左手前側）に重畳するように配設されている。
【００９４】
内鉤部材６１３，６１４は、主として摺動杆６１０と重畳する縦長の基部６１３ａ，６１４ａと、当該基部６１３ａ，６１４ａの上部から後方へ延びる突出部６１３ｂ，６１４ｂと、当該突出部６１３ｂ，６１４ｂの後端側において後方へ先細りするように設けられた略三角形状の頭部６１３ｃ，６１４ｃとから構成されている。頭部６１３ｃ，６１４ｃの下端部は、突出部６１３ｂ，６１４ｂより下方に突出しており、当該突出部分が後述するように係止部として機能する。
【００９５】
内鉤部材６１３，６１４に対応して、摺動杆６１０及び支持板６０３の上部及び下部には、それぞれ内ガイド孔６２５，６２６及び外ガイド孔６２７，６２８が形成されている。各ガイド孔６２５〜６２８は上下方向に長い長円状をなす。そして、これら摺動杆６１０の内ガイド孔６２５，６２６及び支持板６０３の外ガイド孔６２７，６２８に対し、支持板６０３の外側（内枠１２内方側）から差し込まれたガイドピン６３１，６３２が、内鉤部材６１３，６１４（基部６１３ａ，６１４ａ）に固定されている。これにより、内鉤部材６１３，６１４は、基枠６０１（支持板６０３）及び摺動杆６１０に対して、上下に相対変位可能に係合されるとともに、摺動杆６１０の摺動に連動して摺動可能となる。
【００９６】
なお、上述した支持板６０３側の複数のフランジ部６０３ａのうち、内鉤部材６１３，６１４に対応する位置に設けられたものには、当該内鉤部材６１３，６１４に対応する位置にスリット６０３ｃが形成されている。そして、内鉤部材６１３，６１４のうち、突出部６１３ｂ，６１４ｂ及び頭部６１３ｃ，６１４ｃのみがこのスリット６０３ｃを介して支持板６０３より後方へ突出し、基部６１３ａ，６１４ａは、取付板６０２とフランジ部６０３ａとの間に収まった状態となっている。
【００９７】
上記構成により、内鉤部材６１３，６１４は、ガイドピン６３１，６３２により左右方向への動きを規制され、かつ、取付板６０２やフランジ部６０３ａにより前後方向への動きを規制されつつ、上下方向へ摺動できるようになっている。
【００９８】
内鉤部材６１３，６１４は、付勢手段としてのコイルばねＣ１，Ｃ２により下方へ付勢されている。より詳しくは、コイルばねＣ１，Ｃ２は、一端が内鉤部材６１３，６１４（基部６１３ａ，６１４ａ）に設けられたフック部６１３ｄ，６１４ｄに掛けられるとともに、他端が、取付板６０２に設けられたフック部６３５，６３６に掛けられている。これにより、通常時、内鉤部材６１３，６１４は、下方に付勢され、ガイドピン６３１，６３２が支持板６０３の外ガイド孔６２７，６２８の下縁部に当接した状態で保持される。
【００９９】
なお、内鉤部材６１３，６１４の摺動範囲のうち、ガイドピン６３１，６３２が、支持板６０３の外ガイド孔６２７，６２８の下縁部に当接する位置が、内鉤部材６１３，６１４が各受け金具８３に係止される位置となる。つまり、この位置が、内鉤部材６１３，６１４の係止位置（基準位置）に相当する。これに対し、ガイドピン６３１，６３２が、支持板６０３の外ガイド孔６２７，６２８の上縁部に当接する位置が、内鉤部材６１３，６１４が各受け金具８３から離脱する位置となる。つまり、この位置が、内鉤部材６１３，６１４の非係止位置に相当する。
【０１００】
ここで、受け金具８３及びこれに組付けられる樹脂カバー８０１の構成について、図２４〜図２８を参照して詳しく説明する。受け金具８３は本実施形態における第１カバー部材を構成し、樹脂カバー８０１は第２カバー部材を構成する。従って、受け金具８３及び樹脂カバー８０１により本実施形態における遮蔽部材が構成される。
【０１０１】
ここで、図２４は、受け金具８３及び樹脂カバー８０１を正面左側から見た分解斜視図であり、図２５は、正面右側から見た分解斜視図である。また、図２６は、受け金具８３及び樹脂カバー８０１を背面左側から見た分解斜視図であり、図２７は、背面右側から見た分解斜視図である。図２８は、組付け状態の受け金具８３及び樹脂カバー８０１を示すものであり、（ａ）はそれを正面左側から見た斜視図であり、（ｂ）は正面右側から見た斜視図であり、（ｃ）は背面左側から見た斜視図であり、（ｄ）は背面右側から斜視図である。
【０１０２】
受け金具８３は、金属板を折り曲げ形成することにより、全体として後方が開口した略箱状に形成されている。受け金具８３は、上下・左右方向に沿って配設される略平板状の前壁部８３ａと、当該前壁部８３ａの上下左右の縁部からそれぞれ後方向へ延出した上壁部８３ｂ、下壁部８３ｃ、左壁部８３ｄ及び右壁部８３ｅとを備えている。これら上下左右の壁部８３ｂ〜８３ｅにより本実施形態における周壁部が構成される。
【０１０３】
さらに、上壁部８３ｂの右端縁部には、当該縁部から上方へ延出したフランジ状の取付部８３ｆが形成されている。同様に、下壁部８３ｃの右端縁部には、当該縁部から下方へ延出したフランジ状の取付部８３ｇが形成されている。各取付部８３ｆ，８３ｇには、ネジ孔８３ｈが形成されている。そして、受け金具８３は、外枠１１の右辺枠構成部１１ｄの内壁面に各取付部８３ｆ，８３ｇを当接させた状態で、ネジ孔８３ｈに対し外枠１１の右辺枠構成部１１ｄの外側からネジ７９９が螺着されることにより固定される（図５参照）。
【０１０４】
左壁部８３ｄ及び右壁部８３ｅの前後方向の延出長は、上壁部８３ｂ及び下壁部８３ｃの半分程度となっている。そして、左壁部８３ｄの後端縁部は段差状に屈曲形成され、金具外方側へ膨出している。
【０１０５】
また、前壁部８３ａには、内鉤部材６１３，６１４が進入する鉤孔部８３ｊを有している。内鉤部材６１３，６１４は、鉤孔部８３ｊを介して受け金具８３内に進入した状態で、当該前壁部８３ａの裏側にて係止される。
【０１０６】
内鉤部材６１３，６１４が各受け金具８３に係合された状態では、内鉤部材６１３，６１４の頭部６１３ｃ，６１４ｃの周囲が、受け金具８３の各壁部８３ａ〜８３ｅによって囲まれた状態となる。従って、受け金具８３は、被係合部材としての機能と、被覆部材（第１カバー部材）としての機能を併せ持つこととなる。これにより、受け金具８３に係止される内鉤部材６１３，６１４に対し、線材等を引っ掛けにくくなるため、不正解錠に対する防御性能の向上を図ることができる。
【０１０７】
その効果を高めるために、本実施形態では、さらに受け金具８３の後側の開口部を覆う樹脂カバー８０１を備えている。
【０１０８】
樹脂カバー８０１は、例えばポリカーボネート等の硬質樹脂材料により一体形成されており、全体として前方が開口した略箱状に形成されている。
【０１０９】
樹脂カバー８０１は、受け金具８３の前壁部８３ａに相対向する後壁部８０１ａと、当該後壁部８０１ａの上下左右の縁部からそれぞれ前方向へ延出した上壁部８０１ｂ、下壁部８０１ｃ、左壁部８０１ｄ及び右壁部８０１ｅと備えている。そして、受け金具８３への組付け状態においては、上下左右の壁部８０１ｂ〜８０１ｅが受け金具８３の上下左右の壁部８３ｂ〜８３ｅの内側に嵌め込まれる。
【０１１０】
上壁部８０１ｂ及び下壁部８０１ｃには、それぞれ自身の前端縁部から後方に向けて一対の切り込みが形成されることにより、左右方向略中央部において係止片８０１ｆ，８０１ｇが形成されている。同様に、右壁部８０１ｅには、係止片８０１ｈが上下２箇所に形成されている。また、各係止片８０１ｆ〜８０１ｈの先端部には、樹脂カバー外方へ突出する係止爪が設けられている。
【０１１１】
これに対応して、受け金具８３の上壁部８３ｂ、下壁部８３ｃ及び右壁部８３ｅには、各係止片８０１ｆ〜８０１ｈの係止爪が係止される係止孔部８３ｋ，８３ｌ，８３ｍがそれぞれ設けられている。
【０１１２】
また、樹脂カバー８０１の左壁部８０１ｄは、上下方向の両端部近傍を除く略全域において、その延出長が、受け金具８３の左壁部８３ｄの後端縁部に合わせて短くなっている。そして、この延出長の短い左壁部８０１ｄの上下方向略全域には、その前端部近傍の外側にて、断面略Ｌ字状の受部８０１ｊが突出形成されている。そして、受け金具８３との組付け状態においては、この受部８０１ｊに対し受け金具８３の左壁部８３ｄの後端縁部が挿し込まれる。これにより、線材等の内部への進入が防がれる。
【０１１３】
一方、樹脂カバー８０１の右壁部８０１ｅの外側には、前後方向略中央部において、上下方向３箇所に受部８０１ｋが突出形成されている。このうち、中央の受部８０１ｋは断面略Ｌ字状に構成されている。これら受部８０１ｋは、受け金具８３の右壁部８３ｅの後端縁部の位置に合わせて形成されており、受け金具８３への組付け状態においては、これら受部８０１ｋに受け金具８３の右壁部８３ｅの後端縁部が当接又は挿し込まれる。これにより、線材等の内部への進入が防がれる。
【０１１４】
さらに、樹脂カバー８０１の右壁部８０１ｅの外側には、各受部８０１ｋから後壁部８０１ａにかけて前後方向に沿って複数の補強リブ８０１ｍが設けられている。
【０１１５】
一方、後壁部８０１ａから左壁部８０１ｄ（受部８０１ｊ）にかけて、背面視略矩形状の範囲を囲むように複数のスリット８０１ｐが間欠的に設けられる。これにより、上記スリット８０１ｐにより囲まれた部位が蓋部８０１ｑとして画定されている。そして、隣接するスリット８０１ｑの間に連結部として残された複数の破断部８０１ｒを切断することにより、蓋部８０１ｑは樹脂カバー８０１の本体部から切離し可能となる。
【０１１６】
次に受け金具８３と樹脂カバー８０１との組付け手順について説明する。両者の組付けは、受け金具８３を外枠１１の右辺枠構成部１１ｄの内壁面に取付ける前段階に行われる。
【０１１７】
本実施形態では、樹脂カバー８０１を受け金具８３の後側の開口部に嵌め込む構成となっている。各係止片８０１ｆ〜８０１ｈを弾性変形させつつ、樹脂カバー８０１の各壁部８０１ｂ〜８０１ｅを挿し込んでいくと、所定位置に達したところで、各係止片８０１ｆ〜８０１ｈが復元し、係止爪が受け金具８３の係止孔部８３ｋ〜８３ｍに係止される。同時に、樹脂カバー８０１の左壁部８０１ｄの受部８０１ｊに受け金具８３の左壁部８３ｄが挿し込まれ、右壁部８０１ｅの受部８０１ｋに受け金具８３の右壁部８３ｅが当接又は挿し込まれる。これにより両者の組付けが完了する。なお、受け金具８３の構成上、上下左右の壁部８３ｂ〜８３ｅが交わる４つのコーナー部にはスリット状の隙間が生じるが、樹脂カバー８０１の組付け時には、この隙間は、樹脂カバー８０１の上下左右の壁部８０１ｂ〜８０１ｅが交わる４コーナー部によって、そのほぼ全体が塞がれる。これにより、線材等の内部への進入が防がれる。
【０１１８】
続いて、上記のように樹脂カバー８０１を組付けた状態で受け金具８３を外枠１１の右辺枠構成部１１ｄの内壁面に固定する。詳しくは、受け金具８３の各取付部８３ｆ，８３ｇを位置合わせした状態で、ネジ孔８３ｈに対し外枠１１の右辺枠構成部１１ｄの外側からネジ７９９を螺着することにより固定する。
【０１１９】
一旦、受け金具８３を固定すると、受け金具８３の右壁部８３ｅに係止された樹脂カバー８０１の係止片８０１ｈの係止爪を、受け金具８３の外側から押すことができなくなるため、係止状態を解除できなくなる。つまり、受け金具８３が固定された状態では、破壊等しない限り、樹脂カバー８０１を取外せない状態となる。
【０１２０】
次に、前面枠セット１４の施錠機構に関連する部分について説明する。前面枠セット１４の施錠機構を構成する上記前鉤部材６１６，６１７，６１８は、摺動杆６１０の内枠１２外方側において、上記取付板６０２の鉤挿通孔６０５，６０６，６０７に対応して上部、中部及び下部の３箇所に配設されている。
【０１２１】
前鉤部材６１６，６１７，６１８は、主として基枠６０１内に配設される基部６１６ａ，６１７ａ，６１８ａと、当該基部６１６ａ，６１７ａ，６１８ａから前方に突出した突出部６１６ｂ，６１７ｂ，６１８ｂと、当該突出部６１６ｂ，６１７ｂ，６１８ｂの前端側において前方へ先細りするように設けられた略三角形状の頭部６１６ｃ，６１７ｃ，６１８ｃとから構成されている。
【０１２２】
上述したように取付板６０２には、前鉤部材６１６，６１７，６１８に対応して鉤挿通孔６０５，６０６，６０７が形成されており、当該鉤挿通孔６０５，６０６，６０７から、突出部６１６ｂ，６１７ｂ，６１８ｂ及び頭部６１６ｃ，６１７ｃ，６１８ｃのみが前方に突出している。また、頭部６１６ｃ，６１７ｃ，６１８ｃの上端部は、突出部６１６ｂ，６１７ｂ，６１８ｂより上方に突出しており、当該突出部分が後述するように係止部として機能する。
【０１２３】
前鉤部材６１６，６１７，６１８の基部６１６ａ，６１７ａ，６１８ａは、取付板６０２に沿って配設される取付側壁部６１６ｄ，６１７ｄ，６１８ｄと、支持板６０３（摺動杆６１０）に沿って配設される支持側壁部６１６ｅ，６１７ｅ，６１８ｅとを備えている。そして、上記突出部６１６ｂ，６１７ｂ，６１８ｂは、取付側壁部６１６ｄ，６１７ｄ，６１８ｄの内枠１２外方側の縁部から延出しており、支持側壁部６１６ｅ，６１７ｅ，６１８ｅとは段差をもって形成されている。
【０１２４】
また、取付側壁部６１６ｄ，６１７ｄ，６１８ｄの下部には、上下方向に長い長円状の取付側ガイド孔６１６ｆ，６１７ｆ，６１８ｆが形成されている。これら取付側ガイド孔６１６ｆ，６１７ｆ，６１８ｆに対し、基枠６０１内側（後側）から差し込まれたガイドピン６４１，６４２，６４３が取付板６０２に固定されている。
【０１２５】
また、前鉤部材６１６，６１７，６１８に対応して、摺動杆６１０及び支持板６０３の上部、中部及び下部には、それぞれ内ガイド孔６４５，６４６，６４７及び外ガイド孔６４８，６４９，６５０が形成されている。各ガイド孔６４５〜６５０は上下方向に長い長円状をなす。そして、摺動杆６１０の内ガイド孔６４５，６４６，６４７及び支持板６０３の外ガイド孔６４８，６４９，６５０に対し、支持板６０３の外側（内枠１２内方側）から差し込まれたガイドピン６５１，６５２，６５３が、前鉤部材６１６，６１７，６１８（支持側壁部６１６ｅ，６１７ｅ，６１８ｅ）に固定されている。これにより、前鉤部材６１６，６１７，６１８は、基枠６０１（支持板６０３）及び摺動杆６１０に対して、上下に相対変位可能に係合されるとともに、摺動杆６１０の摺動に連動して摺動可能となる。
【０１２６】
上記構成により、前鉤部材６１６，６１７，６１８は、上記ガイドピン６４１等の各種ガイドピンや、取付板６０２、フランジ部６０３ａなどにより、左右方向への動きや前後方向への動きを規制されつつ、上下方向へ摺動できるようになっている。
【０１２７】
前鉤部材６１６，６１７，６１８は、コイルばねＣ３，Ｃ４，Ｃ５により上方へ付勢されている。より詳しくは、コイルばねＣ３，Ｃ４，Ｃ５は、一端が前鉤部材６１６，６１７，６１８（基部６１６ａ，６１７ａ，６１８ａの支持側壁部６１６ｅ，６１７ｅ，６１８ｅ）に設けられたフック部６１６ｈ，６１７ｈ，６１８ｈに掛けられるとともに、他端が、取付板６０２に設けられたフック部６３７，６３８，６３９に掛けられている。これにより（コイルばねＣ３，Ｃ４，Ｃ５の引張力により）、通常時、前鉤部材６１６，６１７，６１８は、上方へ付勢される。つまり、前鉤部材６１６，６１７，６１８は、通常時、ガイドピン６５１，６５２，６５３が支持板６０３の外ガイド孔６４８，６４９，６５０の上縁部に当接した状態で保持される。
【０１２８】
なお、前鉤部材６１６，６１７，６１８の摺動範囲のうち、ガイドピン６５１，６５２，６５３が、支持板６０３の外ガイド孔６４８，６４９，６５０の上縁部に当接する位置が、前鉤部材６１６，６１７，６１８が受け金具９１，９２，９３に係止される位置となる。つまり、この位置が、前鉤部材６１６，６１７，６１８の係止位置（基準位置）に相当する。この際、前鉤部材６１６，６１７，６１８では、取付側ガイド孔６１６ｆ，６１７ｆ，６１８ｆの下縁部が、摺動杆６１０に固定されたガイドピン６４１，６４２，６４３に当接する。
【０１２９】
これに対し、ガイドピン６５１，６５２，６５３が、支持板６０３の外ガイド孔６４８，６４９，６５０の下縁部に当接する位置が、前鉤部材６１６，６１７，６１８が受け金具９１，９２，９３から離脱する位置となる。つまり、この位置が、前鉤部材６１６，６１７，６１８の非係止位置に相当する。この際、前鉤部材６１６，６１７，６１８では、取付側ガイド孔６１６ｆ，６１７ｆ，６１８ｆの上縁部が、摺動杆６１０に固定されたガイドピン６４１，６４２，６４３に当接する。
【０１３０】
ここで、受け金具９１，９２，９３の構成について詳しく説明する。受け金具９１，９２，９３は、前面枠セット１４の背面側に固定される取付部９１ａ，９２ａ，９３ａと、当該取付部９１ａ，９２ａ，９３ａから後方へ延出した延出部９１ｂ，９２ｂ，９３ｂ、当該延出部９１ｂ，９２ｂ，９３ｂの後端部から前面枠セット１４の内方側へ延出し、前鉤部材６１６，６１７，６１８が係合される係合部９１ｃ，９２ｃ，９３ｃとを備えている。
【０１３１】
また、取付部９１ａ，９２ａ，９３ａには、前鉤部材６１６，６１７，６１８に対応して、差込み孔９１ｄ，９２ｄ，９３ｄが形成されており、前鉤部材６１６，６１７，６１８が受け金具９１，９２，９３に係合された際には、前鉤部材６１６，６１７，６１８の頭部６１６ｃ，６１７ｃ，６１８ｃの先端が差込み孔９１ｄ，９２ｄ，９３ｄに差し込まれた状態となる（図２３参照）。
【０１３２】
また、摺動杆６１０は、通常時、内ガイド孔６２５，６２６の下縁部が支持板６０３の外ガイド孔６２７，６２８の下縁部と略同一高さ位置となる位置で、かつ、内ガイド孔６４５，６４６，６４７の上縁部が支持板６０３の外ガイド孔６４８，６４９，６５０の上縁部と略同一高さ位置となる位置において保持されている。この位置が摺動杆６１０の基準位置に相当する。摺動杆６１０が基準位置にある場合には、内ガイド孔６２５，６２６の下縁部が内鉤部材６１３，６１４のガイドピン６３１，６３２と係合すること、つまりコイルばねＣ１，Ｃ２の引張力によって、上方への動作が抑えられた状態にあるとともに、内ガイド孔６４５，６４６，６４７の上縁部が前鉤部材６１６，６１７，６１８のガイドピン６５１，６５２，６５３と係合すること、つまりコイルばねＣ３，Ｃ４，Ｃ５の引張力によって、下方への動作が抑えられた状態にある。そして、後述するシリンダ錠７００が操作された場合には、コイルばねＣ１等の引張力に抗して上方又は下方へ摺動変位する。
【０１３３】
さて、取付板６０２の幅広部６０２ｂには、錠部材としてのシリンダ錠７００が取付けられており、その前面側は前面枠セット１４の前面側に露出している。
【０１３４】
図１８に示すように、シリンダ錠７００は、略筒状をなすシリンダ本体７０１と、シリンダ本体７０１内部に設けられ、内部に鍵穴７０２を有してなる錠軸７０３と、シリンダ本体７０１の外周に設けられた外筒７０４とを備えている。
【０１３５】
シリンダ錠７００は、取付板６０２の取付孔６０２ｃに対しシリンダ本体７０１を挿通した状態で、フランジ部７０５を取付板６０２の背面側にネジ止めすることにより固定されている。
【０１３６】
シリンダ本体７０１には、該シリンダ本体７０１の内外を連通する上下８つずつ、合計１６個の透孔７０６が形成されている。これに対応して、錠軸７０３にも、各透孔７０６と連通する１６個の透孔７０８が形成されている。かかる透孔７０８の鍵穴７０２側は、後述するピン７１４等の収容部材が鍵穴７０２内に脱落しないように他の部位よりも小径に形成されている。
【０１３７】
各透孔７０６内には、それぞれバネ７０９が収容されている。バネ７０９の一端は前記外筒７０４に当接し、他端には台座７１１が連結されている。また、各透孔７０８内には、前記台座７１１に支持されるようにして、複数のスペーサ７１２，７１３及びピン７１４が収容されている。そして、これらピン７１４、スペーサ７１２，７１３、台座７１１は、バネ７０９の伸縮によって各透孔７０６，７０８内を上下動可能となっている。このうち、ピン７１４は、前記透孔７０８の鍵穴７０２側の小径部を介して鍵穴７０２内に出没可能となっている。
【０１３８】
上記構成により、鍵穴７０２内への鍵Ｋの挿入時には、当該鍵Ｋの上下両側の凹凸形状に沿って各ピン７１４等が上下動する。そして、鍵Ｋの挿入完了状態にあっては、図１９に示すように各ピン７１４がそれぞれ鍵Ｋの溝に入り込んだ状態となり、ピン７１４の基端面、又は、スペーサ７１２若しくは７１３の一方の端面と、錠軸７０３の外周面とが面一になる。これにより、鍵Ｋの挿入完了状態にあっては、鍵Ｋの回動操作に伴って錠軸７０３が回動可能となる。つまり、このシリンダ錠７００は、少なくとも鍵穴７０２に鍵Ｋを挿し込まない限り錠軸７０３を回動させることができない内部構造となっている。
【０１３９】
また、錠軸７０３の後端部には、鍵穴７０２に挿入された鍵Ｋの回動動作を摺動杆６１０に伝達するカム板７２０が固定されている。
【０１４０】
カム板７２０は、上下一対の上係合爪７２０ａ及び下係合爪７２０ｂを備えている。これらの係合爪７２０ａ，７２０ｂは、カム板７２０の回動方向に所定間隔を置いて形成されている。
【０１４１】
これに合わせて、摺動杆６１０の膨出部６１０ａには、上係合爪７２０ａが出入可能な上係合孔７２５と、下係合爪７２０ｂが出入可能な下係合孔７２６とが形成されている。また、支持板６０３には、両係合爪７２０ａ，７２０ｂの動作を妨げないように透孔７３０が形成されている。
【０１４２】
上記構成のもと、シリンダ錠７００の鍵穴７０２に鍵Ｋが挿し込まれていない状態で、錠軸７０３及びカム板７２０が基準位置にある場合には、図１０に示すように、上係合爪７２０ａの先端が、摺動杆６１０の上係合孔７２５に挿通状態となるとともに、下係合爪７２０ｂの先端が、摺動杆６１０の下係合孔７２６に挿通状態となる。
【０１４３】
また、上述したように、本実施形態のシリンダ錠７００は、鍵穴７０２に鍵Ｋの挿入がない場合には錠軸７０３及びカム板７２０を回動させることができない状態（変位不能となるロック状態）となるため、カム板７２０が基準位置にある場合には、係合爪７２０ａ，７２０ｂにより摺動杆６１０の摺動が規制されることとなる。例えば、仮に鍵Ｋを用いずに、基準位置にある摺動杆６１０に対し線材等を不正に引っ掛けて、当該摺動杆６１０に対し解錠方向への外力がかけられた場合には、係合爪７２０ａ，７２０ｂが摺動杆６１０の係合孔７２５，７２６の縁部に引っ掛かり、摺動杆６１０の解錠方向への摺動変位が、係合孔７２５等の遊び長を除き実質的に規制される。
【０１４４】
また、施錠装置６００には、シリンダ錠７００の背面側を覆うようにしてカムカバー７４０がネジ等の固定手段により取付固定されている。カムカバー７４０によって、カム板７２０と摺動杆６１０との係合部が覆われるとともに、摺動杆６１０の膨出部６１０ａ略全体（上下の段差部を含む）が覆われている。
【０１４５】
次に、施錠装置６００の作用について詳しく説明する。先ず内枠１２の施錠及び解錠について詳しく説明する。内枠１２の施錠状態においては、摺動杆６１０が基準位置をとることにより、上述したように外枠１１の内側に固定された各受け金具８３に対して内鉤部材６１３，６１４の頭部６１３ｃ，６１４ｃが係止され、内枠１２の開放が規制されている（図２２参照）。但し、図２２では、便宜上、樹脂カバー８０１を取外した状態での部分断面図が示されている。
【０１４６】
内枠１２を解錠する際には、シリンダ錠７００の鍵穴７０２に挿入した鍵Ｋを図１における時計回り方向に回動させる。これにより、図２０（ａ），（ｂ）に示すように、カム板７２０が同方向に回動して、下係合爪７２０ｂが摺動杆６１０の下係合孔７２６の上縁部に接触し、当該下係合爪７２０ｂに押上げられるようにして摺動杆６１０が上方に摺動する。
【０１４７】
摺動杆６１０が上方へ摺動すると、摺動杆６１０の内ガイド孔６２５，６２６の下縁部によってガイドピン６３１，６３２が引き上げられ、コイルばねＣ１，Ｃ２の引張力に抗して内鉤部材６１３，６１４が上方へ摺動する。これにより、内鉤部材６１３，６１４と各受け金具８３との係合が解除され、内枠１２の開放が許容される。
【０１４８】
なお、前鉤部材６１６，６１７，６１８が係止位置（基準位置）にある場合、ガイドピン６５１，６５２，６５３の係合された摺動杆６１０の内ガイド孔６４５，６４６，６４７の下部には、ガイドピン６５１，６５２，６５３が相対変位するスペースが確保されている。これにより、摺動杆６１０が上方へ摺動変位した場合でも、前鉤部材６１６，６１７，６１８は摺動せず、そのままの状態を維持できるようになっている。
【０１４９】
一方、内枠１２を施錠する際には、鍵Ｋを用いることなく施錠を行うことができるよう構成されている。より詳しくは、開状態にある内枠１２を閉じていくと、内鉤部材６１３，６１４の頭部６１３ｃ，６１４ｃの傾斜部位が各受け金具８３の鉤孔部８３ｊの下辺（前壁部８３ａ）に接触する。さらに、内枠１２を閉じていくと、内鉤部材６１３，６１４が上方へ押され、コイルばねＣ１，Ｃ２の引張力に抗して一旦上方へ摺動する。その後、内鉤部材６１３，６１４の頭部６１３ｃ，６１４ｃが前壁部８３ａを越えると、コイルばねＣ１，Ｃ２の引張力により内鉤部材６１３，６１４が元の位置に戻り、前壁部８３ａの裏側に係止される。これにより、施錠が完了し、内枠１２の開放が規制された状態となる。
【０１５０】
次に前面枠セット１４の施錠及び解錠について詳しく説明する。前面枠セット１４の施錠状態においては、摺動杆６１０が基準位置をとることにより、上述したように前面枠セット１４に取付けられた受け金具９１，９２，９３（係合部９１ｃ，９２ｃ，９３ｃ）に対して前鉤部材６１６，６１７，６１８の頭部６１６ｃ，６１７ｃ，６１８ｃが係止され、前面枠セット１４の開放が規制されている（図２３参照）。なお、前鉤部材６１６，６１７，６１８が受け金具９１，９２，９３に係合された状態では、頭部６１６ｃ，６１７ｃ，６１８ｃの先端が取付部９１ａ，９２ａ，９３ａの差込み孔９１ｄ，９２ｄ，９３ｄに差し込まれた状態となる。
【０１５１】
前面枠セット１４を解錠する際には、シリンダ錠７００の鍵穴７０２に挿入した鍵Ｋを図１における反時計回り方向に回動させる。これにより、図２１（ａ），（ｂ）に示すように、カム板７２０が同方向に回動して、上係合爪７２０ａが摺動杆６１０の上係合孔７２５の下縁部に接触し、当該上係合爪７２０ａに押下げられるようにして摺動杆６１０が下方に摺動する。
【０１５２】
摺動杆６１０が下方へ摺動すると、摺動杆６１０の内ガイド孔６４５，６４６，６４７の上縁部によってガイドピン６５１，６５２，６５３が引き下げられ、コイルばねＣ３，Ｃ４，Ｃ５の引張力に抗して前鉤部材６１６，６１７，６１８が下方へ摺動する。これにより、前鉤部材６１６，６１７，６１８と受け金具９１，９２，９３との係合が解除され、前面枠セット１４の開放が許容される。
【０１５３】
なお、内鉤部材６１３，６１４が係止位置（基準位置）にある場合、ガイドピン６３１，６３２の係合された摺動杆６１０の内ガイド孔６２５，６２６の上部には、ガイドピン６３１，６３２が相対変位するスペースが確保されている。これにより、摺動杆６１０が下方へ摺動変位した場合でも、内鉤部材６１３，６１４は摺動せず、そのままの状態を維持できるようになっている。
【０１５４】
一方、前面枠セット１４を施錠する際には、鍵Ｋを用いることなく施錠を行うことができるよう構成されている。より詳しくは、開状態にある前面枠セット１４を閉じていくと、前鉤部材６１６，６１７，６１８の頭部６１６ｃ，６１７ｃ，６１８ｃの傾斜部位が受け金具９１，９２，９３の係合部９１ｃ，９２ｃ，９３ｃ下辺に接触する。さらに、前面枠セット１４を閉じていくと、前鉤部材６１６，６１７，６１８が下方へ押され、コイルばねＣ３，Ｃ４，Ｃ５の引張力に抗して一旦下方へ摺動する。その後、前鉤部材６１６，６１７，６１８の頭部６１６ｃ，６１７ｃ，６１８ｃが係合部９１ｃ，９２ｃ，９３ｃを越えると、コイルばねＣ３，Ｃ４，Ｃ５の引張力により前鉤部材６１６，６１７，６１８が元の位置に戻り、係合部９１ｃ，９２ｃ，９３ｃに係止される。この際、頭部６１６ｃ，６１７ｃ，６１８ｃの先端が取付部９１ａ，９２ａ，９３ａの差込み孔９１ｄ，９２ｄ，９３ｄに差し込まれた状態となる。これにより、施錠が完了し、前面枠セット１４の開放が規制された状態となる。
【０１５５】
さらに、本実施形態では、シリンダ錠７００の故障時など、シリンダ錠７００を操作して内枠１２を開放できない状況となった場合には、パチンコ機１０の背面側から直接、内鉤部材６１３，６１４を操作して内枠１２を開放させることとなる。
【０１５６】
内枠１２が施錠状態にある場合、通常は、図２９（ａ）に示すように、鉤部材６１３（６１４）の頭部６１３ｃ（６１４ｃ）が、受け金具８３及び樹脂カバー８０１により覆われている。そのため、内鉤部材６１３（６１４）を直接操作できないようになっている。そこで、直接操作するためには、まず図２９（ｂ）に示すように、ニッパー等の工具により破断部８０１ｒを切断し、樹脂カバー８０１の本体部から蓋部８０１ｑを切離す。こうすることで、樹脂カバー８０１には開口部８０１ｓが形成され、当該開口部８０１ｓを介して、内鉤部材６１３（６１４）を直接操作することができるようになる。そして、内鉤部材６１３（６１４）を上方へ押すと、摺動杆６１０が摺動することなく、内鉤部材６１３（６１４）のみがコイルばねＣ１（Ｃ２）に抗して上方へ摺動し、係合状態が解除される。
【０１５７】
その後は、一旦、外枠１１から受け金具８３を取外して、使用済みの樹脂カバー８０１を取外す。そして、上述した手順で新たな樹脂カバー８０１を取着して、再度、受け金具８３を外枠１１に取付ける。
【０１５８】
以上詳述したように、本実施形態では、鉤部材６１３，６１４が受け金具８３及び樹脂カバー８０１により覆われているため、鉤部材６１３，６１４に対し線材等を引っ掛けにくくなる。結果として、線材等による鉤部材６１３，６１４に対する直接の解錠操作、すなわち不正な解錠操作が行われるのを抑止することができる。
【０１５９】
さらに、シリンダ錠７００の故障時など正当な理由から、鍵Ｋを用いずにパチンコ機１０の背面側から鉤部材６１３，６１４を直接操作して係合状態を解除しなくてはならない状況となった場合には、樹脂カバー８０１の蓋部８０１ｑを切離し、そこに形成された開口部８０１ｓを介して、その作業を行うことができる。つまり、正当な理由の下で行う作業の効率を妨げることなく不正行為のみをより確実に抑止することができる。
【０１６０】
加えて、蓋部８０１ｑが切離されると、樹脂カバー８０１にはその痕跡が残る。そのため、万が一、蓋部８０１ｑを開けて不正行為が行われた場合には、それを確認することで不正行為を早期発見できる。従って、不正行為の直接的な防止はもとより、不正行為を早期発見できるという側面からも不正行為の抑止を図ることができる。
【０１６１】
また、樹脂カバー８０１を組付けた状態で受け金具８３を外枠１１に固定すると、樹脂カバー８０１を取外せない状態となる。一般的に、パチンコ機１０が遊技ホールの島設備に設置された後には、他のパチンコ機１０等が隣接して配置されるため、外枠１１の右辺枠構成部１１ｄの外側からネジ７９９を取外しできなくなる。従って、樹脂カバー８０１を無傷で受け金具８３から取外すためには、一旦、パチンコ機１０を島設備から取外さなければならず、痕跡を残さずに不正行為を行うことは困難となる。
【０１６２】
結果として、メンテナンス性の向上を図りつつも、不正解錠に対する防御性能が格段に向上する。
【０１６３】
なお、上述した実施形態の記載内容に限定されず、例えば次のように実施してもよい。
【０１６４】
（ａ）施錠装置６００の構成は上記実施形態に限定されるものではない。例えば、上記実施形態では、内枠１２の施錠機構及び前面枠セット１４の施錠機構が、単一の施錠装置６００によって具現化されている。これに限らず、例えば前面枠セット１４が内枠１２と一体形成された構成等においては、当該前面枠セット１４の施錠機構を省略した構成としてもよい。
【０１６５】
（ｂ）シリンダ錠７００の構成は上記実施形態に限定されるものではない。例えば、キーコードを変更可能なシリンダ錠を採用してもよい。キーコードの変更手順の一例について説明すると、所定のリセットピンを押圧した状態で鍵穴に現状の鍵を挿入して回動操作した後、該鍵を引き抜く。そして、リセットピンを押圧したまま、新たに設定したい鍵を鍵穴に挿入し、前記現状の鍵とは逆向きに回動操作した後、リセットピンの押圧状態を解除してから鍵を引き抜く。以上のような操作を行うことで、新たに設定したい鍵に合ったキーコードとすることができる。
【０１６６】
また、上記実施形態では、鍵Ｋの非挿入状態においてシリンダ錠７００がロック状態となり、摺動杆６１０の摺動変位がカム板７２０により規制される構成を採用している。これに限らず、例えば、摺動杆６１０が基準位置にある場合には、カム板７２０の両係合爪７２０ａ，７２０ｂが係合孔７２５，７２６に挿入された状態とならず、摺動杆６１０の摺動が規制されない構成を採用してもよい。また、鍵Ｋの非挿入状態においてもロック状態とならない（カム板７２０が変位不能とならない）シリンダ錠を採用してもよい。このような場合には、内鉤部材６１３，６１４等を摺動杆６１０に一体形成するなど、摺動杆６１０に対し相対変位不能に設けた構成としても、上述したように内枠１２を開放できない状況となった場合に、パチンコ機１０の背面側から直接、内鉤部材６１３，６１４を操作して内枠１２を開放させることに不都合を生じない。
【０１６７】
（ｃ）内鉤部材６１３，６１４や前鉤部材６１６，６１７，６１８の構成は上記実施形態に限定されるものではない。例えば、上記実施形態では、内鉤部材６１３等が上下方向に摺動する構成となっているが、これに限らず、内鉤部材６１３等が係止位置と非係止位置とに回動変位する構成を採用してもよい。
【０１６８】
また、内鉤部材６１３等の各鉤部材、及び、これに対応する受け金具８３等の各被係合部材の数は、上記実施形態の数に限定されるものではなく、内枠１２の施錠機構など各施錠機構に対応して、例えば１つであってもよい。
【０１６９】
また、上記実施形態では、鉤部材６１３，６１４の両鉤部材に対応して、受け金具８３に樹脂カバー８０１が取付けられているが、一方の鉤部材にのみ対応して樹脂カバー８０１を備えた構成としても十分、同様の作用効果を得ることができる。
【０１７０】
（ｄ）樹脂カバー８０１の構成は上記実施形態に限定されるものではない。蓋部８０１ｑの形成位置、大きさ、範囲などに関しても適宜、変更可能である。
【０１７１】
例えば、上記実施形態では、樹脂カバー８０１の本体部から蓋部８０１ｑを完全に切離す構成となっているが、これに限らず、蓋部８０１ｑの一部が本体部と連結された状態のまま開口部８０１ｓが形成される構成としてもよい。
【０１７２】
また、上記実施形態では、樹脂成形体として蓋部８０１ｑが樹脂カバー８０１の本体部に予め一体形成された構成であるが、これに限らず、樹脂カバー８０１の開口部８０１ｓに、別体成形された蓋部８０１ｑを接着剤などの固定手段により取着した構成としてもよい。
【０１７３】
また、上記実施形態では、複数のスリット８０１ｐを設けることによって、蓋部８０１ｑが樹脂カバー８０１の本体部から切離し可能な構成となっているが、これに限らず、蓋部８０１ｑの全周囲に薄肉部を設けることにより、樹脂カバー８０１の本体部から切断可能となる構成としてもよい。このようにすれば、通常時には、樹脂カバー８０１内側に線材等が進入する隙間が形成されないため、防御性能を高めることができる。
【０１７４】
（ｅ）上記実施形態では、鉤部材６１３，６１４が係合される被係合部材と、その周囲を囲む遮蔽部材（第１カバー部材）とが、受け金具８３として一体形成された構成となっている。これに限らず、これらを別体で設けた構成としてもよい。
【０１７５】
（ｆ）上記実施形態では、遮蔽部材として、第１カバー部材を構成する金属製の受け金具８３と、第２カバー部材としての樹脂製の樹脂カバー８０１とが別体で構成されている。第１カバー部材及び第２カバー部材の形状、素材、組付構造などは上記実施形態に限定されるものではない。例えば、遮蔽部材として、第１カバー部材と第２カバー部材とが樹脂材料や金属材料等により一体形成された構成としてもよい。
【０１７６】
（ｇ）上記実施形態とは異なるタイプのパチンコ機として実施してもよい。また、パチンコ機以外にも、アレンジボール機、それに類する雀球等の各種遊技機、スロットマシンとパチンコ機とを融合した形式の遊技機などとして実施してもよい。
【０１７７】
以下、特許請求の範囲の請求項に記載されないものであって、上記実施形態から把握できる技術的思想について、その効果とともに記載する。
【０１７８】
手段１．外郭を構成する固定枠と、
前記固定枠の前面側にて開閉可能に支持された扉体と、
前記扉体に設けられ、前記固定枠に対し前記扉体を施錠する施錠装置とを備え、
前記施錠装置が、
鍵により操作される錠部材と、
少なくとも前記鍵の操作に応じた前記錠部材の動作に連動して、前記固定枠に設けられた被係合部材に対し係合されて前記扉体の開放を規制する係合位置と、前記被係合部材から離脱して前記扉体の開放を許容する非係合位置とに変位可能な鉤部材とを備えた遊技機において、
前記被係合部材及びこれに係合される前記鉤部材を囲む遮蔽部材を備えるとともに、
前記遮蔽部材の一部に切離し又は切開き可能な蓋部を備えることにより、当該遮蔽部材に開口部を形成可能としたことを特徴とする遊技機。
【０１７９】
上記手段１によれば、遮蔽部材を備えることにより、被係合部材に係合される鉤部材に対し線材等を引っ掛けにくくなる。結果として、線材等による鉤部材に対する直接の解錠操作、すなわち不正な解錠操作が行われるのを抑止することができる。
【０１８０】
さらに、上記蓋部を備えることにより、錠部材の故障時など正当な理由から、鍵を用いずに遊技機背面側から鉤部材を直接操作して被係合部材との係合状態を解除しなくてはならない状況となった場合には、遮蔽部材の蓋部を切離し又は切開き、そこに形成された開口部を介して、その作業を行うことができる。つまり、正当な理由の下で行う作業の効率を妨げることなく不正行為のみをより確実に抑止することができる。
【０１８１】
加えて、蓋部が切離し等されると、遮蔽部材にはその痕跡が残る。そのため、万が一、蓋部を開けて不正行為が行われた場合には、それを確認することで不正行為を早期発見できる。従って、不正行為の直接的な防止はもとより、不正行為を早期発見できるという側面からも不正行為の抑止を図ることができる。
【０１８２】
結果として、メンテナンス性の向上を図りつつも、遮蔽部材全体が動かせる構成とする場合に比べて、不正解錠に対する防御性能が格段に向上する。
【０１８３】
尚、鉤部材及びこれに対応する被係合部材の数は１つに限定されるものではなく、これらを複数備えた構成としてもよい（これらに対応する遮蔽部材に関しても同様）。このようにすれば、不正解錠に対する防御性能のさらなる向上が図られる。
【０１８４】
また、上記「切離し」とは、遮蔽部材の本体部から蓋部が取り除かれること（切除）を意味し、「切開き」とは、蓋部の一部が遮蔽部材の本体部と連結された状態のまま開口部が形成されることを意味している（遮蔽部材の本体部に固定された別体の蓋部の取外し等を含む）。
【０１８５】
また、錠部材の例としては、鍵が挿入されて回動操作されるシリンダ錠などが挙げられる。勿論、錠部材はシリンダ錠に限定されるものではなく、この他、カードキーのような鍵を用いて操作されるものであってもよい。
【０１８６】
また、鉤部材及び被係合部材の「係合（係合状態）」とは、扉体の閉状態において、少なくとも扉体を開放する方向（例えば前方向）に動かした場合に、当該鉤部材及び被係合部材が接触し、両者が扉体の開放を規制する位置関係にある状態を指す。従って、鉤部材及び被係合部材の「係合」には、常時、両者が当接している場合のみではなく、動作性等を考慮して両者間に所定のクリアランス（遊び）を設けて、扉体の閉状態においては両者が離間している場合も含む。例えば、扉体の開閉方向である前後方向に対し、係合状態にある鉤部材及び被係合部材の間に所定のクリアランスが設定され、扉体の閉状態においては、鉤部材及び被係合部材が前後方向に対し当接してはいないが、扉体を開放しようと動かした場合には、両者が係り合う構成となっていればよい。逆に、鉤部材及び被係合部材の「非係合（非係合状態）」とは、扉体を開閉方向に動かした場合に、鉤部材及び被係合部材が接触しない位置関係、又は接触しつつも扉体を開放可能な位置関係にある状態を指す。
【０１８７】
手段２．前記遮蔽部材は、所定の固定手段により前記固定枠に固定される金属製の第１カバー部材と、当該第１カバー部材に組付けられ、前記蓋部を有する樹脂製の第２カバー部材とから構成されていることを特徴とする手段１に記載の遊技機。
【０１８８】
上記手段２によれば、蓋部を有する第２カバー部材を除く部分を、金属製の第１カバー部材で構成することにより、不正解錠に対する十分な防御性能を確保することができる。また、蓋部を切離す等して使用した場合でも、当該使用済みの第２カバー部材のみを、未使用の新たな第２カバー部材に取り替えるだけで元の状態に戻すことができる。従って、遮蔽部材全体を交換する必要がなく、リサイクル性に優れる。
【０１８９】
手段３．少なくとも前記第１カバー部材の前記固定枠への取付状態において、前記第２カバー部材が前記第１カバー部材から取外し不能となることを特徴とする手段２に記載の遊技機。
【０１９０】
上記手段３によれば、上述した不正行為等の抑制効果をさらに高めることができる。なお、第２カバー部材が「取外し不能」とあるのは、第１カバー部材を固定枠から取外さない限り、第２カバー部材を取外すことができない又は極めて困難であるといった意味である。例えば、第２カバー部材に設けた係止片を第１カバー部材に係止することにより、両者が組付けられる構成において、第１カバー部材が固定枠に取付けられた状態では、第１カバー部材に係止された第２カバー部材の少なくとも１つの係止片が、固定枠に覆われることにより第１カバー部材の外部に非露出状態となり、第１カバー部材の外側から係止解除操作を行うことができなくなる構成などが一例として挙げられる。
【０１９１】
手段４．前記蓋部は、切断可能な連結部を介して、前記第２カバー部材の本体部と一体形成されていることを特徴とする手段２又は３に記載の遊技機。
【０１９２】
上記手段４によれば、別途、蓋部を設ける工程を省略でき、部品点数の増加を抑制することができる。
【０１９３】
手段５．前記第１カバー部材は、
前記鉤部材が挿通される鉤孔部を有する前壁部と、
前記前壁部の周縁部から後方へ延出した周壁部とを備え、
前記第２カバー部材は、
前記第１カバー部材の後側の開口部を塞ぐように取付けられることを特徴とする手段２乃至４のいずれかに記載の遊技機。
【０１９４】
上記手段５によれば、鉤部材が挿通する孔部を除き、実質的に上下、左右、前後の６方向からの線材等の侵入を防止することができ、不正解錠に対する防御性能が格段に向上する。
【０１９５】
手段６．前記被係合部材と前記遮蔽部材とを一体としたことを特徴とする手段１乃至５のいずれかに記載の遊技機。
【０１９６】
上記手段６によれば、被係合部材と遮蔽部材とを一体とすることにより、部品点数の削減を図るとともに、構成の簡素化を図ることができる。
【０１９７】
以下に、上記各手段が適用される各種遊技機の基本構成を示す。
【０１９８】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０１９９】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０２００】
Ｃ．上記各手段における前記遊技機、又は、上記各弾球遊技機は、パチンコ機又はパチンコ機に準ずる遊技機であること。
【０２０１】
Ｄ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【図面の簡単な説明】
【０２０２】
【図１】一実施形態におけるパチンコ機を示す正面図である。
【図２】パチンコ機の斜視図である。
【図３】パチンコ機の右側面図である。
【図４】内枠及び前面枠セットを開放した状態を示す斜視図である。
【図５】外枠の構成を示す斜視図である。
【図６】内枠及び遊技盤の構成を示す正面図である。
【図７】内枠の構成を示す背面図である。
【図８】パチンコ機の構成を示す背面図である。
【図９】電気的構成を示すブロック図である。
【図１０】施錠装置を背面左側から見た斜視図である。
【図１１】施錠装置を正面左側から見た斜視図である。
【図１２】施錠装置の背面図である。
【図１３】施錠装置の右側面図である。
【図１４】施錠装置の左側面図である。
【図１５】施錠装置の正面図である。
【図１６】背面側から見た施錠装置の分解図である。
【図１７】側面側から見た施錠装置の分解図である。
【図１８】鍵の非挿入時におけるシリンダ錠を示す断面図である。
【図１９】鍵の挿入時におけるシリンダ錠を示す断面図である。
【図２０】（ａ）は、摺動杆が上方へ摺動した状態における施錠装置を背面左側から見た斜視図であり、（ｂ）は、その状態における施錠装置を正面左側から見た斜視図である。
【図２１】（ａ）は、摺動杆が下方へ摺動した状態における施錠装置を背面左側から見た斜視図であり、（ｂ）は、その状態における施錠装置を正面左側から見た斜視図である。
【図２２】受け金具に係合された内鉤部材を示す部分拡大斜視図である。
【図２３】受け金具に係合された前鉤部材を示す部分拡大斜視図である。
【図２４】受け金具及び樹脂カバーを正面左側から見た分解斜視図である。
【図２５】受け金具及び樹脂カバーを正面右側から見た分解斜視図である。
【図２６】受け金具及び樹脂カバーを背面左側から見た分解斜視図であり。
【図２７】受け金具及び樹脂カバーを背面右側から見た分解斜視図である。
【図２８】（ａ）組付け状態の受け金具及び樹脂カバーを正面左側から見た斜視図であり、（ｂ）はそれを正面右側から見た斜視図であり、（ｃ）はそれを背面左側から見た斜視図であり、（ｄ）はそれを背面右側から斜視図である。
【図２９】（ａ）は受け金具及び樹脂カバーに覆われた前鉤部材を示す部分拡大斜視図であり、（ｂ）は樹脂カバーから蓋部を切離した状態を示す図である。
【符号の説明】
【０２０３】
１０…パチンコ機、１１…外枠、１２…内枠、１４…前面枠セット、８３…受け金具、６００…施錠装置、６１３，６１４…内鉤部材、７００…シリンダ錠、８０１…樹脂カバー、８０１ｑ…蓋部、８０１ｒ…破断部。
【図１】
0005444679.tif 000002
【図２】
0005444679.tif 000003
【図３】
0005444679.tif 000004
【図４】
0005444679.tif 000005
【図５】
0005444679.tif 000006
【図６】
0005444679.tif 000007
【図７】
0005444679.tif 000008
【図８】
0005444679.tif 000009
【図９】
0005444679.tif 000010
【図１０】
0005444679.tif 000011
【図１１】
0005444679.tif 000012
【図１２】
0005444679.tif 000013
【図１３】
0005444679.tif 000014
【図１４】
0005444679.tif 000015
【図１５】
0005444679.tif 000016
【図１６】
0005444679.tif 000017
【図１７】
0005444679.tif 000018
【図１８】
0005444679.tif 000019
【図１９】
0005444679.tif 000020
【図２０】
0005444679.tif 000021
【図２１】
0005444679.tif 000022
【図２２】
0005444679.tif 000023
【図２３】
0005444679.tif 000024
【図２４】
0005444679.tif 000025
【図２５】
0005444679.tif 000026
【図２６】
0005444679.tif 000027
【図２７】
0005444679.tif 000028
【図２８】
0005444679.tif 000029
【図２９】
0005444679.tif 000030